(57)【要約】      （修正有）【課題】光ファイバコードの滑りを防止し、適切な姿勢に保持可能な光ファイバコード保持具を提供する。【解決手段】光ファイバコードＫを湾曲状に懸架するための横断面円弧山型の懸架保持面を有する支持部材６１と、支持部材６１の頂部に長手方向に沿って固設され光ファイバコードＫの滑りを防止する滑り止め帯材６５と、支持部材６１に懸架される光ファイバコードＫを上方から押さえるクッション部材６２を有する押圧部材６４と、を備えた。【選択図】図４
0003164051.tif 000002
【実用新案登録請求の範囲】
【請求項１】
光ファイバコード（Ｋ）を湾曲状に懸架するための横断面円弧山型の懸架保持面（61ｄ）を有する支持部材（61）と、該支持部材（61）の頂部に長手方向（Ｌ１）に沿って固設され上記光ファイバコード（Ｋ）の滑りを防止する滑り止め帯材（65）と、該支持部材（61）に懸架される上記光ファイバコード（Ｋ）を上方から押さえるクッション部材（62）を有する押圧部材（64）と、を備えたことを特徴とする光ファイバコード保持具。
【請求項２】
上記支持部材（61）の上記懸架保持面（61ｄ）に、懸架される複数の上記光ファイバコード（Ｋ）を該支持部材（61）の上記長手方向（Ｌ１）に区分けるための複数の仕切り部材（68）を突設した請求項１記載の光ファイバコード保持具。
【請求項３】
上記支持部材（61）の上記懸架保持面（61ｄ）は、横断面円弧山型に湾曲した板材の半割り円筒部（81）をもって構成され、
上記半割り円筒部（81）の下端縁部（81ｅ）に、上記光ファイバコード（Ｋ）の損傷を防止する弾性被覆部材（67）を設けた請求項１又は２記載の光ファイバコード保持具。
【請求項４】
上記支持部材（61）の上記長手方向（Ｌ１）の一端面（82）に、面状ファスナの雄雌の一方の面状ファスナ部（91）を設け、
上記押圧部材（64）は、上記クッション部材（62）の上面側に該クッション部材（62）よりも長い可撓性の帯体（69）を有し、
上記帯体（69）の一端（69ａ）側に上記面状ファスナの雄雌の他方の面状ファスナ部（92）を設けると共に上記帯体（69）の他端（69ｂ）側を上記支持部材（61）の他端（61ｂ）側に固着して、
上記押圧部材（64）を上記支持部材（61）に対して上下揺動自在とすると共に、上記面状ファスナの雌雄の着脱にて上記押圧部材（64）と上記支持部材（61）との間を開閉自在に構成した請求項１，２又は３記載の光ファイバコード保持具。
【請求項５】
上記押圧部材（64）は、上記帯体（69）と上記クッション部材（62）の間に、金属帯材（63）を有する請求項４記載の光ファイバコード保持具。
【考案の詳細な説明】
【技術分野】
【０００１】
本考案は、光ファイバコード保持具に関する。
【背景技術】
【０００２】
従来、光ファイバコードは、光配線盤から突設された半割り円柱部材の外周面に懸架されて配線されていた（例えば、特許文献１参照）。
【先行技術文献】
【特許文献】
【０００３】
【特許文献１】特開２０００−２３１０２１号公報
【考案の概要】
【考案が解決しようとする課題】
【０００４】
しかし、光ファイバコードを懸架した箇所が振動やコードの自重によって滑り落ちることがあった。そして、滑り落ちて垂れ下がった重みによって、コードに張力が発生し、光の伝送損失が増加するといった問題や、張力によって張られた状態となった光ファイバコードが他の部材と干渉して損傷してしまうといった問題があった。また、光ファイバコードが滑って垂れ下がると、コード同士が複雑に絡み合って、コードの接続切換作業や保守作業の際にコードを識別するのに手間がかかるといった問題があった。
【０００５】
そこで、本考案は、光ファイバコードの滑りを防止し、適切な姿勢に保持可能な光ファイバコード保持具の提供を目的とする。
【課題を解決するための手段】
【０００６】
上記目的を達成するために、本考案の光ファイバコード保持具は、光ファイバコードを湾曲状に懸架するための横断面円弧山型の懸架保持面を有する支持部材と、支持部材の頂部に長手方向に沿って固設され上記光ファイバコードの滑りを防止する滑り止め帯材と、該支持部材に懸架される上記光ファイバコードを上方から押さえるクッション部材を有する押圧部材と、を備えたものである。
また、上記支持部材の上記懸架保持面に、懸架される複数の上記光ファイバコードを該支持部材の上記長手方向に区分けるための複数の仕切り部材を突設したものである。
また、上記支持部材の上記懸架保持面は、横断面円弧山型に湾曲した板材の半割り円筒部をもって構成され、上記半割り円筒部の下端縁部に、上記光ファイバコードの損傷を防止する弾性被覆部材を設けたものである。
【０００７】
また、上記支持部材の上記長手方向の一端面に、面状ファスナの雄雌の一方の面状ファスナ部を設け、上記押圧部材は、上記クッション部材の上面側に該クッション部材よりも長い可撓性の帯体を有し、上記帯体の一端側に上記面状ファスナの雄雌の他方の面状ファスナ部を設けると共に上記帯体の他端側を上記支持部材の他端側に固着して、上記押圧部材を上記支持部材に対して上下揺動自在とすると共に、上記面状ファスナの雌雄の着脱にて上記押圧部材と上記支持部材との間を開閉自在に構成したものである。
また、上記押圧部材は、上記帯体と上記クッション部材の間に、金属帯材を有するものである。
【考案の効果】
【０００８】
本考案によれば、光ファイバコードの懸架された箇所が振動やコードの自重によって滑って移動するのを防止し、適切な姿勢に長時間にわたって安定して保持可能となり、光ファイバコードに不所望な張力が発生するのを防止できる。つまり、適切な光の伝送効率に維持された配線ができる。また、光ファイバコード同士が絡み合わず、接続切換作業等で、光ファイバコードの識別（判別）が容易にできる。
【図面の簡単な説明】
【０００９】
【図１】本考案の実施の一形態を示す正面図である。
【図２】平面図である。
【図３】側面図である。
【図４】開放状態を示す側面図である。
【図５】支持部材の一例を示す平面図である。
【図６】図５のＣ−Ｃ断面図である。
【図７】断面側面図である。
【図８】断面側面図である。
【図９】比較例の作用説明図である。
【図１０】別の比較例の作用説明図である。
【考案を実施するための形態】
【００１０】
以下、図示の実施形態に基づき本考案を詳説する。
図１及び図３に於て、本考案の光ファイバコード保持具は、光ファイバが配線される光配線盤に設けられるものであって、光ファイバコードＫを山型湾曲状に懸架するための横断面円弧山型の懸架保持面61ｄを有する支持部材61と、支持部材61の懸架保持面61ｄに懸架される光ファイバコードＫを上方から押さえる押圧部材64と、を備えている。支持部材61は、光配線盤の鉛直背板11等から前方突出状かつ水平状に設けられる。
【００１１】
図５と図６に於て、支持部材61は、横断面円弧山型に湾曲した板材の半割り円筒部81と、支持部材61の長手方向Ｌ１の一端61ａ側に配設され半割り円筒部81に懸架される光ファイバコードＫ（以下、コードＫと呼ぶ場合がある）が一方側（前方側）へ滑落するのを防止する半円板（一端面）82と、支持部材61の長手方向Ｌ１の他端61ｂ側に配設され鉛直背板11に固着するための矩形状の取付板部83と、を有している。懸架保持面61ｄを半割り円筒部81をもって構成している。
【００１２】
半割り円筒部81の外周面81ｄ（支持部材61の懸架保持面61ｄ）の曲率半径寸法は、コードＫの許容曲げ半径寸法以上（例えば、３０ｍｍ以上）に設定されている。半円板82の外端縁部は、前方へのコードＫの滑落を防止する外鍔部82ａを形成する。半割り円筒部81と半円板82と取付板部83は、金属又は硬質樹脂で形成されている。
【００１３】
また、支持部材61の懸架保持面61ｄ（半割り円筒部81の外周面81ｄ）に、懸架される複数（本）のコードＫを長手方向Ｌ１（前後方向Ｑ）に区分けるための複数の仕切り部材68を突設している。
仕切り部材68は、懸架保持面61ｄからラジアル外方に突出する円柱又は多角形柱状に設けられている。正面視で頂部を挟んで左右一対に設けられる。また、平面視で長手方向Ｌ１に左右複数対設けている。
また、仕切り部材68は、芯となる円柱又は多角形柱状の金属製の柱部材68ａと、柱部材68ａに被覆状に設けられコードＫの損傷を防止する軟質ＰＶＣ（ポリ塩化ビニル）又はゴム製等のキャップ状の保護部材68ｂと、を有している。
【００１４】
また、支持部材61（半割り円筒部81）の頂部に沿って横断面円弧状、かつ、長手方向Ｌ１に沿って平面視帯状で、コードＫの滑り及び損傷を防止する滑り止め帯材65を固設している。滑り止め帯材65は、ネオプレンゴムコーティングしたもの、或いは、ゴム製部材であって、接着剤又は粘着剤にて懸架保持面61ｄの頂部に固着する。
また、半割り円筒部81の左右の下端縁部81ｅ，81ｅに、コードＫの損傷を防止するゴム製の弾性被覆部材67，67を縁巻状（Ｕ字状）に貼設（接着）している。
また、支持部材61の一端面（半円板）82に、面状ファスナの雌雄の一方の面状ファスナ部91を貼設（固設）している。
【００１５】
図３及び図４に於て、押圧部材64は、支持部材61に懸架されるコードＫを上方から押さえる柔軟な直方体状のクッション部材62と、クッション部材62の上面に固着される金属帯材63と、金属帯材63の上面に固着されクッション部材62よりも長い可撓性の帯体69と、を備えている。言い換えると、帯体69とクッション部材62の間に、アルミニウム製等の金属帯材63を有している。クッション部材62は、塩化ビニルやウレタン等の発泡体である。
【００１６】
帯体69の一端69ａ側かつ裏面側に、面状ファスナの雌雄の他方の面状ファスナ部92を設けている。なお、帯体69の裏面側全体を他方の面状ファスナ部92とするも良い。言い換えると、帯体69を面状ファスナ部材で形成するも良い。支持部材61の半円板82に設けた雌雄の一方の面状ファスナ部91と他方の面状ファスナ部92とは着脱自在として、図３の閉状態から図４の開放状態に押圧部材64を揺動可能である。
【００１７】
また、図２乃至図４に於て、帯体69の他端69ｂ側を、支持部材61の他端61ｂ側に固着している。具体的には、支持部材61の取付板部83と、矩形状の取着板片66と、で帯体69の他端69ｂ側を挟持状に固着している。
【００１８】
帯体69の他端69ｂ側を支持部材61の他端61ｂ側に固着することで、押圧部材64を他端61ｂ側を中心として（押圧部材64を支持部材61に対して）上下方向に揺動自在とし、面状ファスナの雌雄（一方の面状ファスナ部91と他方の面状ファスナ部92と）の着脱にて、押圧部材64と、支持部材61の懸架保持面61ｄの間を開閉自在としている。面状ファスナの雌雄の取着によって、押圧部材64のクッション部材62が適切に弾性圧縮されて、懸架されたコードＫを押圧して湾曲山型状の姿勢保持及び滑りを防止するように構成している。また、半割り円筒部81の頂部より上位置に帯体69の揺動中心となる折れ曲がり部69ｅが形成される。
【００１９】
また、図７に示すように、クッション部材62が上下方向に（弾性的に）圧縮されていない自然状態で、一端62ａ側厚み寸法Ｈａと他端62ｂ側厚み寸法Ｈｂとを略同等に設定している。そして、図８に示すように、一端62ａ側厚み寸法Ｈａが、適切な弾性的押圧力を発揮する下限厚み寸法（この厚み寸法より小さくなると、コードＫを介在させて押圧した際に伝送効率に悪影響を及ぼす虞れのある寸法）以上、かつ、コードＫに適切な押圧力を発揮する上限厚み寸法（この寸法を越えるとコードＫを介在させて押圧した際に姿勢維持や滑り防止が困難となる厚み寸法）以下、である場合に、他端62ｂ側厚み寸法Ｈｂが一端62ａ側厚み寸法Ｈａと略同等となるように取着板片66の上端66ａの位置寸法（滑り止め帯材65の頂部からの高さ寸法）を、所定寸法Ｙに、設定している。
言い換えると、一端62ａ側厚み寸法Ｈａが適切な押圧力を発揮する上記下限乃至上限厚み寸法の場合に、他端62ｂ側厚み寸法Ｈｂが一端62ａ側厚み寸法Ｈａと略同等となった状態で、帯体69の折れ曲がり部69ｅが取着板片66の上端66ａに当接して折れ曲がるように、取着板片66の上端66ａの位置寸法を所定寸法Ｙに設定している。
【００２０】
次に、光ファイバコード保持具の使用方法（作用）について説明する。
図４に示すように開放状態の光ファイバコード保持具の支持部材61の懸架保持面61ｄにコードＫを懸架する。図６に示すように、支持部材61（懸架保持面61ｄ）に沿って、山型湾曲配線部Ｆが形成される。この仮置き状態において、滑り止め帯材65及び弾性被覆部材67，67は、コードＫの自重や振動による滑りを防止すると共に、配線作業中の引きずりによる損傷を防止する。
【００２１】
図１乃至図３に示すように雌雄の一方の面状ファスナ部91と他方の面状ファスナ部92を取着させると、コードＫは、押圧部材64から適切な弾性的押圧力が付与され山型湾曲配線部Ｆに押圧・保持される。押圧部材64でコードＫを押圧・保持している間も、滑り止め帯材65及び弾性被覆部材67，67は、コードＫの自重や振動による滑りを防止する。また、弾性被覆部材67は、頂部から垂れ下がる左右のコードＫに振れや捩れ等が発生しても、コードＫが下端縁部81ｅに直接的に接触して（擦れて）損傷するのを防止する。
【００２２】
また、仕切り部材68は、複数本のコードＫが支持部材61の懸架保持面61ｄに懸架された場合に、長手方向Ｌ１（前後方向Ｑ）に区分けでき、長手方向Ｌ１位置の偏りを防止して、コードＫが上下方向に重なって互いに押圧し（潰し合い）伝送損失が増加するのを防止する。また、コードＫの差し替えや切り換え作業の際に、対象となるコードＫを容易に発見可能とし、コードＫを目視で追いかけることを容易にする。また、懸架されたコードＫの捩れを防止し、山型湾曲配線部Ｆを鉛直背板11に平行面上に保持する。
また、金属帯材63は、支持部材61の長手方向Ｌ１に略均一にクッション部材62を弾性圧縮させ適切かつ均一な押圧力をコードＫに付与する。
【００２３】
また、図７に於て、雌雄の一方の面状ファスナ部91と他方の面状ファスナ部92を取着させた際に、クッション部材62の一端62ａ側厚み寸法Ｈａは、前方側（作業者の手前側）であり、容易に目視できるため、一端62ａ側厚み寸法Ｈａは上述の下限乃至上限厚み寸法に設定される。
そして、図８に示すように、取着板片66の上端66ａの位置寸法を所定寸法Ｙに設定することで、奥となる、クッション部材62の他端62ｂ側厚み寸法Ｈｂを目視して確認する手間が省略されると共に確実に適切な押し圧力でコードＫを保持する。
【００２４】
例えば、図９に示す比較例のように、所定寸法Ｙ未満の寸法Ｚ１に、取着板片66の上端66ａの位置寸法が設定されていたとすると、一端62ａ側厚み寸法Ｈａより他端62ｂ側の厚み寸法Ｈｂが小さくなって、他端62ｂ側に保持されるコードＫの伝送効率に悪影響を与える虞れがある。
また、図10に示す別の比較例のように、所定寸法Ｙを越える寸法Ｚ２に、取着板片66の上端66ａの位置寸法が設定されると、一端62ａ側厚み寸法Ｈａより他端62ｂ側の厚み寸法Ｈｂが大きくなって、押圧力が弱く、他端62ｂ側に保持されるコードＫの姿勢を保持できず、滑り等が発生する虞れがある。
【００２５】
また、山型湾曲状に保持されたコードＫは、コードＫが許容曲げ半径（例えば半径３０ｍｍ）以上の半径をもって配線されていることが目視で直感的にわかり、許容曲げ半径の確認作業を容易にする。
【００２６】
なお、本考案は、設計変更可能であって、仕切り部材68を長手方向Ｌ１に２対設けた場合を図示したが、長手方向Ｌ１に３対以上、設けても良い。
【００２７】
以上のように、本考案の光ファイバコードの保持具は、光ファイバコードＫを湾曲状に懸架するための横断面円弧山型の懸架保持面61ｄを有する支持部材61と、支持部材61の頂部に長手方向Ｌ１に沿って固設され光ファイバコードＫの滑りを防止する滑り止め帯材65と、支持部材61に懸架される光ファイバコードＫを上方から押さえるクッション部材62を有する押圧部材64と、を備えたので、光ファイバコードＫを、許容曲げ半径以上の半径をもった適切な姿勢に常に安定して保持できる。光ファイバコードの懸架された箇所が振動やコードＫの自重によって滑り落ちるのを防止し、光ファイバコードＫに不所望な張力が発生するのを防止できる。つまり、適切な伝送効率に維持された配線ができる。また、光ファイバコード同士が絡み合わず、接続切換作業等で、光ファイバコードＫの識別（追いかけ）が容易にできる。きれいに美しく配線でき、配線の確認作業が容易にできる。
【００２８】
また、支持部材61の懸架保持面61ｄに、懸架される複数の光ファイバコードＫを支持部材61の長手方向Ｌ１に区分けるための複数の仕切り部材68を突設したので、長手方向Ｌ１（前後方向Ｑ）に区分けでき、長手方向Ｌ１位置の偏った配線を防止できる。また、コードＫの差し替えや切り換え作業の際に、対象となるコードＫを容易に発見可能とし、コードＫを目視で追いかけることを容易にする。また、懸架されたコードＫの捩れや移動を防止し、山型湾曲配線部Ｆを鉛直背板11に平行面上に保持できる。
【００２９】
また、支持部材61の懸架保持面61ｄは、横断面円弧山型に湾曲した板材の半割り円筒部81をもって構成され、半割り円筒部81の下端縁部81ｅに、光ファイバコードＫの損傷を防止する弾性被覆部材67を設けたので、懸架した光ファイバコードＫに振れが発生した場合や配線作業中に、半割り円筒部81の下端縁部81ｅに直接に光ファイバコードＫが接触するのを防止して、損傷を防止できる。さらに、板材にて軽量かつ容易に作成できる。
【００３０】
また、支持部材61の長手方向Ｌ１の一端面82に、面状ファスナの雄雌の一方の面状ファスナ部91を設け、押圧部材64は、クッション部材62の上面側にクッション部材62よりも長い可撓性の帯体69を有し、帯体69の一端69ａ側に面状ファスナの雄雌の他方の面状ファスナ部92を設けると共に帯体69の他端69ｂ側を支持部材61の他端61ｂ側に固着して、押圧部材64を支持部材61に対して上下揺動自在とすると共に、面状ファスナの雌雄の着脱にて押圧部材64と支持部材61との間を開閉自在に構成したので、容易かつ迅速に光ファイバコードＫを、懸架及び保持でき、配線作業効率を向上できる。
【００３１】
また、押圧部材64は、帯体69とクッション部材62の間に、金属帯材63を有するので、支持部材61の長手方向Ｌ１に略均一にクッション部材62を圧縮させ（長手方向に）適切かつ均一な押圧力を接続コードＫに付与できる。
【符号の説明】
【００３２】
61  支持部材
61ｂ  （支持部材の）他端
61ｄ  懸架保持面
62  クッション部材
63  金属帯材
64  押圧部材
65  滑り止め帯材
67  弾性被覆部材
68  仕切り部材
69  帯体
69ａ  （帯体の）一端
69ｂ  （帯体の）他端
81  半割り円筒部
81ｅ  下端縁部
82  一端面
91  一方の面状ファスナ部
92  他方の面状ファスナ部
Ｋ  光ファイバコード
Ｌ1  長手方向
【図１】
0003164051.tif 000003
【図２】
0003164051.tif 000004
【図３】
0003164051.tif 000005
【図４】
0003164051.tif 000006
【図５】
0003164051.tif 000007
【図６】
0003164051.tif 000008
【図７】
0003164051.tif 000009
【図８】
0003164051.tif 000010
【図９】
0003164051.tif 000011
【図１０】
0003164051.tif 000012